(57)【要約】      （修正有）【課題】利益確定の利幅をできるだけ大きく、利益確定後の相場への参加を合理的かつ自動的に行うシステムを提供する。【解決手段】相場の自動売買方式において、利益確定を相場参加者の相場観にゆだねるのではなく、相場の動きのパターンに着眼して最大の利益を追求する。利益確定後の再度の相場参加も同様の手法によって対応する。【選択図】図１
2010287252.tif 000002
【特許請求の範囲】
【請求項１】
相場の自動売買方式において、最高値または最安値から逆方向にあらかじめ設定した値幅に到達したとき、利益確定の反対売買を自動的におこなうシステム。
【請求項２】
相場の自動売買方式において、利益確定をおこなった後、あらかじめ設定した値幅に到達したら最初の注文が約定し、その後の利益確定は、請求項1に従うシステム。このシステムは、損失確定の反対売買、取り消しがおこなわれない限り継続することができる。
【請求項３】
請求項１および請求項2は、既存の相場の売買システムに付加することができるシステム。
【請求項４】
請求項1の値幅は、相場の個々の取引対象物の直近の一定の期間ごとの高値と安値の値幅の平均値を用いて表現できる数値。
【請求項５】
請求項1の値幅は、相場の個々の取引対象物の一定の期間ごとの高値と安値の値幅の平均値を用いて表現できる数値。
【請求項６】
請求項2の値幅は、請求項4で設定される一定の期間より長い一定の期間ごとの高値と安値の値幅の平均値を用いて表現できる数値。
【請求項７】
請求項2の値幅は、請求項5で設定される一定の期間より長い一定の期間ごとの高値と安値の値幅の平均値を用いて表現できる数値。
【発明の詳細な説明】
【技術分野】
【０００１】
本発明は、相場の自動売買システムに関するものである。
【背景技術】
【０００２】
現在、相場の自動売買システムには、最初の注文が約定しポジションが成立すると、利益確定と損失確定の逆指値注文が自動的に発動されるものがよくつかわれる。損失確定はあらかじめ損失額を確定させるものであるが、利益確定の値段は、相場参加者の個々人の相場観による予想によっておこなわれるため、利幅が少なかったり、多かったりしてまちまちである。相場の実態に則した100％の利益の確定は不可能である。また、利益確定後は、相場に再度参加するには、最初の注文と利益確定および損失確定の逆指値注文をしなければならない。
【０００３】
この改善策として、逆指値注文の利益確定をおこなうにあたり、最高値または最安値のから逆方向にあらかじめ設定した値幅に到達したとき、利益確定の反対売買を自動的におこなうシステムである。最高値または最安値を更新し続け、かつ逆方向にあらかじめ設定した値幅まで戻さない限り利益を追求し続けるものである。最高値および最安値からの値幅は随時変更可能であり、また、相場の途中での設定も可能である。
【０００４】
利益確定後、相場に再度参加するには、利益確定値から、あらかじめ設定した値幅に到達したとき最初の注文が約定しポジション成立すると同時に、逆指値による利益確定および損失確定の注文を自動的に発動される。利益確定からの値幅は随時変更可能である。仮に値幅を200ポイントにすると−200ポイントまたは＋200ポイント到着時点で最初の注文が約定する。
【発明の開示】
【発明が解決しようとする課題】
【０００５】
この発明は、如何にして、利益確定の利幅をできるだけ大きく、利益確定後の相場への参加を合理的かつ自動的にするかに重きを置き、パソコンの前に個人投資家を絶えず拘束することから解放するものである。
【課題を解決するための手段】
【０００６】
相場の利益確定と利益確定後の再度の相場参加を市場参加者の個々人の予想にゆだねるのではなく、相場の動きの特徴的な動きの法則を利用したものである。
【発明の効果】
【０００７】
利益確定額をより大きく、利益確定後の相場参加と売買を合理的かつ簡単にそして自動的におこなうことができるかに重点をおいている。
【発明を実施するための最良の形態】
【０００８】
相場取引において、利益を確定させるには逆指値による値段の指定が必要であるが、これはあくまでも相場参加者個々人の予想であり、最大限の利益の確保を意味しない。
【０００９】
通常、相場は、最高値、最安値をつけた後、相場参加者の総意に基づく売り戻しや買い戻しにより逆方向に戻していったん終了する。具体的に、図1の外国為替証拠金取引の「ドル買い円売り」で説明すると、１ドル＝115円でドルを買うという注文、最高値から1円下げたら利益確定の売り注文、そして、１ドル＝110円まで下げたら5円の損失確定の売り注文を同時に出す。つまり、最初の注文が約定しポジションが成立したら、損失確定の値段に到達せず、最高値から１円戻したら、自動的に反対売買をおこなう注文を出すものである。相場は上昇し、1ドル＝121円をつけた後、120円に下がった。ここで、最高値から1円下がったらドルを売るという注文が約定し、5円の利益を確定させていったん終了する。このように、最高値を予想するのではなく、値幅の1円を保険として最大の利益を追求するものである。最高値を更新し続ける限り利幅（最高値−1円）は増加する。相場の変動率の大小を考慮して値幅の設定を変更でき、相場の途中で設定または解除をすることができる。図2の「ドル売り円買い」の取引の場合も同様である。
【００１０】
利益確定の値幅の設定は、相場の個々の取引対象物つまり、株式取引であれば銘柄、外国為替証拠金取引であれば通貨の組合せによって異なるのが通常である。直近のある一定の期間（tick,1分、5分・・・1時間、1日…1年…等）ごとの高値と安値の平均値を自動計算して、これより大きい数値を設定して、値幅として使用することができる。たとえば、ポジション成立後、直近の1時間足ごとの高値と安値の平均値を自動計算させ、その数値より大きい数値に戻したとき、反対売買が自動的におこなわれる。一方、直近に限定するのではなく、ある一定期間ごとの個々の取引対象物の標準的な値幅を算出しておいて、これより大きい数値を設定して、固有の値幅として使用することができる。一定の期間の長さは、投資家の短期投資又は長期投資の投資スタンスによって選択が可能である。トレンドに変更がない限りにおいて有効である。                                                                                                                        
【００１１】
利益確定後、相場が動き、あらかじめ設定した値幅に到達したら、最初の注文が約定しポジションが成立する。値幅を2円に設定すると、１ドル＝120円で利益確定後、1ドル＝118円もしくは1ドル＝122円に到達すると最初の注文が自動的に約定しポジションが成立する。相場が上昇し、1ドル＝127円をつけた後、126円に下がった。ここで、最高値から1円下がったらドルを売るという注文が約定し、利益を確定させていったん終了する。つまり、損失確定の1ドル＝110円に遭遇しない限り相場は、継続する。また、相場の変動率の大小を考慮して到達値幅の設定を変更でき、相場の途中で設定または解除をすることができる。図2の「ドル売り円買い」の取引の場合も同様である。
【００１２】
利益確定後の再ポジションの成立は、利益確定に使用される値幅より長い一定の期間ごとの高値と安値の値幅の平均値を用いて表現できる数値に到達したとき自動的におこなう。1時間ごとの高値と安値の平均値をもとに利益確定をおこなったのであれば、それより長い期間である、4時間、12時間、24時間等で算出される平均値を算出して利用することができる。一定の期間の長さは、投資家の短期投資又は長期投資の投資スタンスによって選択が可能である。トレンドに変更がない限りにおいて有効である。    
【実施例１】
【００１３】
図1は、外国為替取引相場の上昇トレンドの「ドル円」のチャート図である。
【実施例２】
【００１４】
図2は、外国為替取引相場の下降トレンドの「ドル円」のチャート図である。
【産業上の利用可能性】
【００１５】
相場において一番難しいといわれる利益確定を簡単かつ効率よくおこなうことができることで、絶えず、パソコンの前にいる必要がなく、個人投資家の相場参加を促し、参加層の厚みを持たせることで、市場の活性化に貢献する。
【図面の簡単な説明】
【００１６】
【図１】上昇トレンドにおいて、最初の買い注文が約定しポジション成立、利益確定の売り、損失確定の売り、利益確定後、最初の注文が約定し、再び、ポジションが、成立したチャート図(実施例１）
【図２】下降トレンドにおける最初の売り注文が成立しポジション成立、利益確定の買い、損失確定の買い、利益確定後、最初の注文が約定し、再び、ポジションが、成立したチャート図（実施例2）
【符号の説明】
【００１７】
1． 相場参加（114円）
2． 買い（115円）
3． 最高値（121円）
4． 損失確定の売り（110円）
5． 利益確定の売り（121円−1円＝120円）
6． 買いポジション成立（120円−2円＝118円）
7． 買いポジション成立（120円＋2円＝122円）
8． 最高値（127円）
9． 損失確定の売り（115円）
10．利益確定の売り（127円−1円＝126円）
11．相場参加（126円）
12．売り（125円）
13．損失確定の買い（130円）
14．最安値（119円）
15．利益確定の買い（119円＋1円＝120円）
16．売りポジション成立（120円＋2円＝122円）
17．売りポジション成立（120円−2円＝118円）
18．最安値（116円）
19．損失確定の買い（125円）
20．利益確定の買い（116円＋1円＝117円）
21．2円下降せずに、2円上昇したときのチャートの部分図
22．2円上昇せずに、2円下降したときのチャートの部分図
【図１】
2010287252.tif 000003
【図２】
2010287252.tif 000004